(57)【要約】【課題】  土床支持板の撓みを防止するとともに、軽量土から落下する水を確実に水抜き孔に案内することが可能な植物栽培容器を提供する。【解決手段】  周枠２と、この周枠２の下端から下方位置に向かって下降傾斜し、周枠２の下方全範囲を閉塞するとともに、下端位置に水抜き孔３ａを有する底壁３とを備えた植物栽培容器１において、底壁３には、水抜き孔３ａから周枠２に向かう方向に延びる放射状リブ３ｂが設けられている。この放射状リブ３ｂは、それぞれの上端辺により形成される仮想面が、水平面となるように設けられている。放射状リブ３ｂに土床支持板を配置し、その上に人工軽量土を充填した袋体を載置し、播種した後に盛土を盛って水を散布する。【選択図】  図１
2006320242.tif 000002
【特許請求の範囲】
【請求項１】
周枠と、この周枠の下端から下方位置に向かって下降傾斜し、前記周枠の下方全範囲を閉塞するとともに、下端位置に水抜き孔を有する底壁とを備えた植物栽培容器において、
前記底壁には、前記水抜き孔から前記周枠に向かう方向に延びる放射状のリブが設けられていることを特徴とする植物栽培容器。
【請求項２】
前記放射状のリブは、それぞれの上端辺により形成される仮想面が、水平面となるように設けられていることを特徴とする請求項１記載の植物栽培容器。
【請求項３】
前記放射状のリブは、前記底壁に設けられた水抜き孔の周囲に、それぞれのリブを伝わって流れた水を集約する水集約部を確保するように設けられていることを特徴とする請求項１または２記載の植物栽培容器。
【発明の詳細な説明】
【技術分野】
【０００１】
本発明は、建物の屋上やベランダなどで緑化植物を植栽するために用いられる植物栽培容器に関する。
【背景技術】
【０００２】
ビルの屋上やベランダなどに木や草などを植える屋上緑化に対して、補助金を支給する自治体や、都市部で新たにビルを建築する際には、敷地や屋上の緑化を義務づけたりする自治体などがあり、屋上緑化は益々推進されていくものと思われる。この屋上緑化を行う際に、土床を下方から支持する従来の植物栽培容器として、例えば特許文献１に記載されたものがある。
【０００３】
この特許文献１に記載の植物栽培容器を図７に示す。図７に示す従来の植物栽培容器１００は、正方形状の周枠１０１の下端に連接されるとともに、周枠１０１の下端から下方に向かって緩やかな角度で傾斜し、その下端中央部位置に水抜き孔（図示せず）を有する底壁１０２に、升状に形成されたリブ１０３が下端中央位置に設けられたものである。そして、底壁１０２には、周枠１０１の下端位置の四隅から水抜き孔に向かい底壁１０２に沿った溝１０４が形成されている。そして、金網板やパンチングメタルなどで形成された土床支持板１０５が、周枠１０１の下端位置と升状に形成されたリブ１０３とに担持されるように配置され、袋入り軽量土１０６がこの土床支持板１０５上に載置される。
【０００４】
【特許文献１】特開２００２−２５３０５２号公報
【発明の開示】
【発明が解決しようとする課題】
【０００５】
しかし、図７に示す従来の植物栽培容器１００は、升状に形成されたリブ１０３が、底壁１０２の下端中央部に設けられただけなので、リブ１０３と周枠１０１の下端位置との間に支えるものがなく、水を含んだ袋入り軽量土１０６の重みや、軽量土１０６の上に盛られる盛土の重みによって、土床支持板１０５が撓むことが心配される。そうなると、土床支持板１０５としては、相当な荷重に耐えうる強度が必要となる。強度の高いものは概して重量も重いものであるので、この従来の植物栽培容器１００に土床支持板１０５を設置する際には、その土床支持板１０５の取り扱いが容易ではない。また、この植物栽培容器１００を複数連接して屋上に設置する場合には、土床支持板１０５の重みだけでも相当な重量になり、躯体への影響が心配される。
【０００６】
また、軽量土１０６から落下した水を水抜き孔に案内する溝１０４が、周枠１０１の下端位置の四隅からリブ１０３の下端を通過するように形成されているので、軽量土１０６から落下した水の量によっては、溝１０４から溢れ、升状に形成されたリブ１０３の周囲に残留するおそれもある。
【０００７】
そこで、本発明の目的は、土床支持板の撓みを防止するとともに、軽量土から落下する水を確実に水抜き孔に案内することが可能な植物栽培容器を提供することにある。
【課題を解決するための手段】
【０００８】
本発明は、周枠と、この周枠の下端から下方位置に向かって下降傾斜し、前記周枠の下方全範囲を閉塞するとともに、下端位置に水抜き孔を有する底壁とを備えた植物栽培容器において、前記底壁には、前記水抜き孔から前記周枠に向かう方向に延びる放射状のリブが設けられていることを特徴とする。
【０００９】
底壁には、底壁の下端の位置に設けられた水抜き孔から周枠に向かう方向に延びる放射状のリブが設けられている。この放射状のリブ上に土床支持板を載置すると、放射状のリブが土床支持板をそれぞれ担持する。従って、土床支持板が撓むことなく、確実に担持することが可能である。また、底壁は周枠の下端から下方に向かって下降傾斜しているので、軽量土から底壁に落下した水は、この下降傾斜した底壁を流れつつ、水抜き孔から周枠に向かう方向に形成された放射状のリブのそれぞれに案内される。従って、落下した水を、水抜き孔に進行させて水抜きを行うことができる。
【００１０】
前記放射状のリブは、それぞれの上端辺により形成される仮想面が水平面となるように設けられていることが望ましい。放射状のリブは、それぞれの上端辺により形成される仮想面が水平面となるように設けられていることで、その上に載置される土床支持板を水平に保つことができる。
【００１１】
更に、前記放射状のリブは、前記底壁に設けられた水抜き孔の周囲に、それぞれのリブを伝わって流れた水を集約する水集約部を確保するように設けられていることが望ましい。放射状のリブが、底壁に設けられた水抜き孔の周囲に水集約部を確保するように設けられているので、それぞれのリブを伝わるようにして流れる水は、底壁に設けられた水抜き孔の周囲に設けられた水集約部で集まり大きく塊となって水抜き孔から早く排出することができる。
【発明の効果】
【００１２】
本発明の植物栽培容器によれば、以下の効果を奏する。
（１）リブが、底壁の下端の位置に設けられた水抜き孔から周枠に向かう方向に延びるように放射状に設けられているので、この上に土床支持板を載置して軽量土を載せ、更にその上に盛土をしたとしても、その荷重に十分に耐えうるだけの強度を確保することが可能である。従って、土床支持板として強度を確保するがために重量が重くなるようなものを必要としないので、軽量化を図ることができる。よって、本発明の植物栽培容器を連結して複数使用しても全体の重量が軽減できるので、躯体への影響が少ない。
また、底壁は、周枠の下端から下方に向かって下降傾斜しているので、軽量土から底壁に落下した水が、放射状のリブに案内されて水抜き孔に進行し、水抜きを行うことができる。よって、水が、底壁に貯留することなく、確実に排出することが可能である。
（２）放射状のリブが、それぞれの上端辺により形成される仮想面が水平面となるように形成されているので、その上に載置される土床支持板を水平に保つことができる。よって、土床支持板にかかる負荷や、本発明の植物栽培容器への負荷を均等に配分させることができるので、土床支持板の撓みや、リブの破損などを防止することができる。
（３）放射状のリブを、前記底壁に設けられた水抜き孔の周囲に、それぞれのリブを伝わって流れた水を集約する水集約部を確保するように設けることで、水抜き孔から早く排出することができるので、水が腐敗したり変質したりして植物栽培容器内が汚染されることが防止できる。
【発明を実施するための最良の形態】
【００１３】
本発明の実施の形態に係る植物栽培容器について図１から図４に基づいて説明する。図１は、本発明の実施の形態に係る植物栽培容器の平面図である。図２は、本発明の実施の形態に係る植物栽培容器の側面図である。図３は、図１におけるＡ−Ａ線矢視図である。図４は、本発明の実施の形態に係る植物栽培容器の底面図である。
【００１４】
本発明の実施の形態に係る植物栽培容器は、建物の屋上やベランダなどに配置され、緑化植物を植栽するものである。
【００１５】
図１から図４に示すように、植物栽培容器１は、樹脂成形品であり、平面視して１辺が約６０ｃｍの正方形状に形成され、周枠２と、この周枠２の下端に連接された底壁３と、底壁３の底面に設けられた支持脚４とを備えている。
【００１６】
周枠２は、約４ｃｍの高さに形成され、所定間隔ごとに、補強のために内側補強リブ２ａと外側補強リブ２ｂとが設けられている。また周枠２には、植物栽培容器１を連結して使用するときのために、Ｕ字状の連結溝２ｃが設けられている。
【００１７】
底壁３は、周枠２の下端から下方位置に向かって下降傾斜し、周枠３の下方全範囲を閉塞するとともに、下端位置に円形状の貫通孔である水抜き孔３ａを有している。本実施の形態の植物栽培容器１では、底壁３の中央部に水抜き孔３ａが設けられている。また、底壁３の上面側には、水抜き孔３ａから周枠２に向かう方向に延びる放射状リブ３ｂが設けられている。更に底壁３の底面側には、支持脚４を除いた部分と、水抜き孔３ａに接続される略Ｌ字状の排水パイプ（図示せず）が植物栽培容器１の四方の側面へ配設するための通路となる部分とを除くほぼ全面に、升目状に形成された底面側補強リブ３ｃが設けられている。
【００１８】
放射状リブ３ｂは、水抜き孔３ａを中心として１５°ごとに設けられ、底壁３が周枠２の下端から中央下方位置に向かって下降傾斜しているので、高さが高い中央部で約１０ｍｍ、周枠２の下端部では約１ｍｍに形成されている。また、放射状のリブ３ｂのそれぞれは、周枠２の下端から、水抜き孔３ａの周囲に確保された水集約部３ｄまでの長さとしている。本実施の形態では、この水集約部３ｄを平面視して正方形状としたが、矩形状としても円形状としてもよい。また、放射状リブ３ｂは、それぞれの上端辺により形成される仮想面が、水平面となるよう設けられている。
【００１９】
支持脚４は、底壁３の４箇所の角部に設けられた角部支持脚４ａと、中央部に設けられた中央部支持脚４ｂと、隣接する角部支持脚４ａを接続するように設けられた側面部支持脚４ｃとを有している。
【００２０】
中央部支持脚４ｂと側面部支持脚４ｃとは、水抜き孔３ａに接続される排水パイプの通路を確保するために切り欠きが形成されている。
【００２１】
次に、本発明の実施の形態に係る植物栽培容器を屋上やベランダに設置して植物を植栽するときに、人工軽量土を土床として好適に用いることができる袋体を図５に基づいて説明する。図５は、人工軽量土が充填された袋体を説明する図であり、（ａ）は斜視図、（ｂ）は（ａ）におけるＢ−Ｂ線矢視図である。
【００２２】
図５に示すように、袋体５０は、内部に人工軽量土５３を充填する袋体であって、規則的に配置された網目５４を有する織布で形成された上面部５１と、透水性を有するとともに植物の根を通さない防根性を有する不織布で形成された底面部５２とにより形成されている。袋体５０は、平面視６０ｃｍ四方の正方形に形成されており、上面部５１と底面部５２との端部同士を縫い合わせることによって内部に人工軽量土５３を充填するための空間を確保している。
【００２３】
上面部５１を形成する織布は、縦糸および横糸によって規則的に配置された網目５４が形成されるように織られたものである。網目５４は、約１ｍｍ四方の矩形に形成されており、この網目５４が縦横に連続した格子状に配置されている。なお、網目５４は、格子状に限定されるものではなく、ハニカム状や、菱形状や、円形状に形成された網目を連続して配置させたものであってもよい。
【００２４】
また、網目５４の大きさは、植物の根が侵入しやすく、また、透水性を確保するために０．５ｍｍ四方より大きく形成され、更に、後述する人工軽量土５３が袋体５０から飛び出さないように、人工軽量土５３の大きさよりも小さく形成された方が望ましく、この範囲内であればどのような大きさに設定してもよい。また、植物を種子の状態から栽培する場合、網目５４を種子の大きさよりも大きくすると、上面部５１の表面に蒔いた種子が袋体５０の内部に落ちやすく、意図しない方向から植物が生長したりすることがあり、見た目があまりよくないので、種子の大きさも考慮して、網目５４の大きさを設定するとよい。
【００２５】
また、縦糸および横糸は、非生分解性の繊維で形成されている。非生分解性の繊維としては、レーヨン，アセテート等の再生繊維、半合成繊維やウール，絹，綿，麻等の天然繊維とポリエステル，ナイロン（商標）などに代表されるポリアミド系の合成繊維，アクリル，ポリプロピレン，ポリエチレン，塩化ビニル系等の合成繊維や熱接着性合成繊維から、夫々選択された混合繊維等を使用することができる。
【００２６】
本実施の形態における袋体５０の内部に充填される人工軽量土５３は、１０ｍｍ角の略立方体に形成された人工の軽量土であり、フェノール樹脂などの材料により形成されたものである。この人工軽量土５３は、高い保水性を有している。また、後述する盛土に供給する水のろ過フィルターとしても機能する。
【００２７】
以上のように構成される本発明の実施の形態に係る植物栽培容器１の使用状態を、図６に基づいて説明する。図６は、本発明の実施の形態に係る植物栽培容器１の使用状態を説明する図である。
【００２８】
図６に示すように、建物の屋上やベランダの所定の位置に植物栽培容器１を設置する。広い場所にこの植物栽培容器１を設置するときは、列状に配置したりマトリクス状に配置したりする。複数の植物栽培容器１を連結するときは、連結具として両端にネジ溝が形成されたボルトを１個と、ナットを２個準備し、連結する周枠２同士の連結溝２ｃを合わせ、ボルトを配置した状態で、周枠２同士をナットで両側から締め付けて固定することで、複数の植物栽培容器１を連結していく。必要に応じて、水抜き孔３ａにＬ字状に形成された排水パイプを接続する。植物栽培容器１を建物の屋上またはベランダに設置する際には、躯体に特別な工事が不要である。
【００２９】
次に、底壁３の大きさに合わせて形成した金網やパンチングメタルや網状に形成した樹脂成型品を土床支持板１０として、放射状リブ３ｂの上に配置する。放射状リブ３ｂは、それぞれの上端辺により形成される仮想面が、水平面となるよう設けられているので、土床支持板１０を載置しても、水平に保つことができる。
【００３０】
そして、水平に配置された土床支持板１０に人工軽量土５３が充填された袋体５０を載置して、季節に応じた種を播種する。更にその上から袋体５０に盛土７０を適度の厚みとなる程度に盛る。苗や、開花した状態の植物８０を袋体５０に配置する場合には、１本配置するごとに周囲に盛土７０を盛って植物８０が倒れないようにしていく。
【００３１】
土床支持板１０の上に人工軽量土５３および盛土７０を載せることで、土床の重量が重いものとなる。しかし、底壁３の中央部であり下端となる位置に設けられた水抜き孔３ａから周枠２に向かう方向に延びるように形成された放射状リブ３ｂのうち、隣接する間隔が狭い部分が、土床支持板１０に負荷が最もかかる中央部を担持するので、土床支持板１０の中央部分の沈み込みによる撓みを防止する。また、放射状リブ３ｂは、周枠２に向かって間隔が徐々に広がるように形成されているので、土床支持板１０を中央部と周枠２の下端とだけでなく、放射状リブ３ｂの上端辺がそれぞれ担持する。従って、土床の重みだけでなく、土床に芝草を植えることでその上を人が通行しても、土床支持板１０が撓むことなく、確実に担持することが可能である。たとえ土床支持板１０を網状に形成した樹脂成型品としても土床支持板１０の撓みを防止することができるので、土床支持板１０の軽量化を図ることができ、躯体への影響を少ないものとすることができる。
【００３２】
このようにして播種や植え付けが終わると水を散布する。散布された水は、盛土７０や人工軽量土５３に含まれるが、それ以上保水できない状態になると、袋体５０を通過する。
【００３３】
袋体５０を通過した水は、植物栽培容器１の底壁３に滴下する。底壁３は周枠２の下端から下方に向かって下降傾斜しているので、軽量土から底壁３に落下した水はこの下降傾斜した底壁３を蛇行しながら流れる。そのときに放射状リブ３ｂに到達した水は、放射状リブ３ｂに案内されるので、水抜き孔３ａに向かって進行する。そしてそれぞれの放射状リブ３ｂの間を流れた水は、水集約部３ｄまで到達し集約され、大きな塊となることで流れが加速され水抜き孔３ａから排出される。このように放射状リブ３ｂを伝わり、水集約部３ｄで集約された水が、途中で進行を阻害されることなく水抜き孔３ａから排出していくので、底壁３に水が残留して腐敗したり変質したりして植物栽培容器１内が汚染することが防止できる。
【産業上の利用可能性】
【００３４】
本発明の植物栽培容器は、建物の屋上やベランダだけでなく、陽が差し込む建物内の緑化スペースなどで緑化植物を植栽するのに好適である。また、ユニットごとに運搬することが可能なので、短期間だけ開催されるイベント会場などに設置することも可能である。
【図面の簡単な説明】
【００３５】
【図１】本発明の実施の形態に係る植物栽培容器の平面図である。
【図２】本発明の実施の形態に係る植物栽培容器の側面図である。
【図３】図１におけるＡ−Ａ線矢視図である。
【図４】本発明の実施の形態に係る植物栽培容器の底面図である。
【図５】人工軽量土が充填された袋体を説明する図であり、（ａ）は斜視図、（ｂ）は（ａ）におけるＢ−Ｂ線矢視図である。
【図６】本発明の実施の形態に係る植物栽培容器の使用状態を説明する図である。
【図７】従来の植物栽培容器を説明する斜視図である。
【符号の説明】
【００３６】
１  植物栽培容器
２  周枠
２ａ  内側補強リブ
２ｂ  外側補強リブ
２ｃ  連結溝
３  底壁
３ａ  水抜き孔
３ｂ  放射状リブ
３ｃ  底面側補強リブ
３ｄ  水集約部
４  支持脚
４ａ  角部支持脚
４ｂ  中央部支持脚
４ｃ  側面部支持脚
１０  土床支持板
５０  袋体
５１  上面部
５２  底面部
５３  人工軽量土
５４  網目
７０  盛土
８０  植物
【図１】
2006320242.tif 000003
【図２】
2006320242.tif 000004
【図３】
2006320242.tif 000005
【図４】
2006320242.tif 000006
【図５】
2006320242.tif 000007
【図６】
2006320242.tif 000008
【図７】
2006320242.tif 000009